(57)【要約】【課題】簡易な構成でコイルと磁性コアとを位置決めでき、巻回部と内側コア部との間のクリアランスを小さくできるリアクトルを提供する。【解決手段】巻回部を有するコイルと、前記巻回部の内側に配置される内側コア部を有するコア片を含む磁性コアと、を備えるリアクトルであって、前記コア片が磁性粉末と樹脂とを含む複合材料の成形体であり、前記内側コア部の外周面から突出して一体成形され、前記巻回部の内周面に接して前記巻回部の径方向を位置決めする第１突起と、前記コア片から突出して前記巻回部の端面に対向する位置に一体成形され、前記巻回部の端面に接して前記巻回部の軸方向を位置決めする第２突起と、を備えるリアクトル。【選択図】図３
2018186254.tif 000002
【特許請求の範囲】
【請求項１】
巻回部を有するコイルと、前記巻回部の内側に配置される内側コア部を有するコア片を含む磁性コアと、を備えるリアクトルであって、
前記コア片が磁性粉末と樹脂とを含む複合材料の成形体であり、
前記内側コア部の外周面から突出して一体成形され、前記巻回部の内周面に接して前記巻回部の径方向を位置決めする第１突起と、
前記コア片から突出して前記巻回部の端面に対向する位置に一体成形され、前記巻回部の端面に接して前記巻回部の軸方向を位置決めする第２突起と、を備えるリアクトル。
【請求項２】
前記第１突起の高さが１ｍｍ以下である請求項１に記載のリアクトル。
【請求項３】
前記第２突起の高さが前記巻回部の端面の幅の１／３以上である請求項１又は請求項２に記載のリアクトル。
【請求項４】
前記第１突起が前記内側コア部の全長に亘って一連に形成されている請求項１から請求項３のいずれか１項に記載のリアクトル。
【請求項５】
前記第１突起の外周面に配置され、前記巻回部の内周面と前記第１突起の外周面との間に介在される絶縁層を備える請求項１から請求項４のいずれか１項に記載のリアクトル。
【請求項６】
前記巻回部の端面に対向する前記第２突起の内端面に配置され、前記巻回部の端面と前記第２突起の内端面との間に介在される絶縁層を備える請求項１から請求項５のいずれか１項に記載のリアクトル。
【請求項７】
前記絶縁層の厚さが５００μｍ以下である請求項５又は請求項６に記載のリアクトル。
【発明の詳細な説明】
【技術分野】
【０００１】
本発明は、リアクトルに関する。
【背景技術】
【０００２】
電圧の昇圧動作や降圧動作を行う回路の部品の一つに、リアクトルがある。例えば特許文献１には、一対のコイル素子（巻回部）を有するコイルと、コイル素子の内外に配置される環状の磁性コアとの組合体を備えるリアクトルが開示されている。特許文献１に記載のリアクトル（組合体）は、コイルと磁性コアとの間にボビンを備える。
【０００３】
特許文献１には、ボビンは、磁性コアのうちコイル素子の内側に配置される内側コア部の外周面に配置される内側ボビンと、コイルの端面に当接される枠状ボビンとで構成されていることが記載されている。また、磁性コアは、複数の分割コア（コア片）を組み合わせて構成され、内側コア部が分割コアとギャップ板とを交互に積層して構成されていることが記載されている。
【先行技術文献】
【特許文献】
【０００４】
【特許文献１】特開２０１３−１３５１９１号公報
【発明の概要】
【発明が解決しようとする課題】
【０００５】
近年、ハイブリッド自動車などの車両の需要拡大に伴い、車載用コンバータに利用されるリアクトルの更なる生産性の向上や低コスト化が求められている。そこで、ボビンを使用しなくても、簡易な構成でコイルと磁性コアとを位置決めできることが望まれる。また、リアクトルの更なる小型化が求められており、その観点から、巻回部の内周面と内側コア部の外周面との間のクリアランスを小さくすることが望まれている。
【０００６】
上述した従来のリアクトルでは、巻回部の内周面と内側コア部の外周面との間に内側ボビンを介在させて配置することにより巻回部の径方向を位置決めすると共に、巻回部の端面に枠状ボビンを当接させることにより巻回部の軸方向を位置決めしている。したがって、従来のリアクトルでは、コイルと磁性コアとを位置決めするためにボビン（内側ボビン及び枠状ボビン）を使用しており、部品点数が多い。また、一般に、ボビンは樹脂で形成されており、機械的強度を確保するため、ある程度の厚さ（例、２ｍｍ以上）を有する。そのため、内側コア部の外周面に内側ボビンを配置する従来のリアクトルでは、巻回部と内側コア部との間のクリアランスが大きくなっていた。従来のリアクトルのように、内側コア部にギャップ板を配置してギャップを形成した場合は、ギャップからの漏れ磁束が巻回部に侵入して、巻回部で渦電流損が発生することがある。そこで、従来のリアクトルでは、ギャップからの漏れ磁束の影響を受け難くするため、巻回部と内側コア部との間のクリアランスをある程度大きくする必要があった。よって、従来のリアクトルは、部品点数が多く、生産性の向上や低コスト化の要求に応えることが難しく、また、巻回部と内側コア部との間のクリアランスが大きくなるため、小型化が困難であった。
【０００７】
そこで、本開示は、簡易な構成でコイルと磁性コアとを位置決めでき、巻回部と内側コア部との間のクリアランスを小さくできるリアクトルを提供することを目的の一つとする。
【課題を解決するための手段】
【０００８】
本開示に係るリアクトルは、
巻回部を有するコイルと、前記巻回部の内側に配置される内側コア部を有するコア片を含む磁性コアと、を備えるリアクトルであって、
前記コア片が磁性粉末と樹脂とを含む複合材料の成形体であり、
前記内側コア部の外周面から突出して一体成形され、前記巻回部の内周面に接して前記巻回部の径方向を位置決めする第１突起と、
前記コア片から突出して前記巻回部の端面に対向する位置に一体成形され、前記巻回部の端面に接して前記巻回部の軸方向を位置決めする第２突起と、を備える。
【発明の効果】
【０００９】
上記リアクトルは、簡易な構成でコイルと磁性コアとを位置決めでき、巻回部と内側コア部との間のクリアランスを小さくできる。
【図面の簡単な説明】
【００１０】
【図１】実施形態１に係るリアクトルの概略斜視図である。
【図２】実施形態１に係るリアクトルに備える磁性コアの概略斜視図である。
【図３】図１に示す（ＩＩＩ）−（ＩＩＩ）線で切断した概略横断面図である。
【図４】図１に示す（ＩＶ）−（ＩＶ）線で切断した概略縦断面図である。
【図５】実施形態１に係るリアクトルの概略分解斜視図である。
【発明を実施するための形態】
【００１１】
［本発明の実施形態の説明］
最初に本発明の実施態様を列記して説明する。
【００１２】
（１）本発明の一態様に係るリアクトルは、
巻回部を有するコイルと、前記巻回部の内側に配置される内側コア部を有するコア片を含む磁性コアと、を備えるリアクトルであって、
前記コア片が磁性粉末と樹脂とを含む複合材料の成形体であり、
前記内側コア部の外周面から突出して一体成形され、前記巻回部の内周面に接して前記巻回部の径方向を位置決めする第１突起と、
前記コア片から突出して前記巻回部の端面に対向する位置に一体成形され、前記巻回部の端面に接して前記巻回部の軸方向を位置決めする第２突起と、を備える。
【００１３】
磁性コアを構成するコア片が磁性粉末と樹脂とを含む複合材料の成形体である場合、複合材料の成形体は比透磁率が比較的低いため、従来のリアクトルのように、インダクタンスを調整するためのギャップを磁性コアに設ける必要がない、或いは、仮にギャップを設けるとしてもギャップが小さくて済む。よって、上記リアクトルによれば、内側コア部を有するコア片が複合材料の成形体であることで、漏れ磁束が発生し難いため、巻回部の内周面と内側コア部の外周面との間のクリアランスを小さくすることができる。また、上記リアクトルでは、内側コア部の外周面から突出して一体成形された第１突起と、コア片から突出して巻回部の端面に対向する位置に一体成形された第２突起とを備える。そして、第１突起により内側コア部に対して巻回部の径方向を位置決めすると共に、第２突起により巻回部の軸方向を位置決めすることから、磁性コアに対してコイルを位置決めできる。そのため、従来使用されていたボビン（内側ボビン及び枠状ボビン）が不要になり、部品点数を削減でき、生産性の向上や低コスト化を図ることができる。更に、巻回部と内側コア部との間に従来介在されていた内側ボビンを省略できるため、巻回部と内側コア部との間のクリアランスを小さくできる。したがって、上記リアクトルは、簡易な構成でコイルと磁性コアとを位置決めできながら、巻回部と内側コア部との間のクリアランスを小さくできる。よって、部品点数が少なく、生産性、低コスト化の要求に対応でき、更に小型化を達成できる。
【００１４】
複合材料の成形体は、射出成形や注型成形などの樹脂成形法によって成形することができ、第１突起及び第２突起が一体成形されたコア片を複合材料の成形体で構成した場合、容易に高い寸法精度が得られる。上記リアクトルでは、内側コア部の外周面から突出する第１突起により、巻回部の内周面と第１突起を除く内側コア部の外周面との間にクリアランスが形成される。
【００１５】
（２）上記リアクトルの一形態として、前記第１突起の高さが１ｍｍ以下であることが挙げられる。
【００１６】
第１突起の高さが１ｍｍ以下であることで、巻回部と内側コア部との間のクリアランスを十分に小さくでき、リアクトルをより小型化できる。第１突起の高さの下限は、特に限定されないが、例えば１００μｍ以上であることが挙げられる。
【００１７】
（３）上記リアクトルの一形態として、前記第２突起の高さが前記巻回部の端面の幅の１／３以上であることが挙げられる。
【００１８】
第２突起の高さが巻回部の端面の幅の１／３以上であることで、巻回部の端面を第２突起に当て止めし易く、巻回部の軸方向の位置決めを効果的に行うことができる。
【００１９】
（４）上記リアクトルの一形態として、前記第１突起が前記内側コア部の全長に亘って一連に形成されていることが挙げられる。
【００２０】
第１突起が内側コア部の全長に亘って一連に形成されていることで、第１突起に切れ目がなく、巻回部を形成する一部のターンが径方向にずれることを抑制できる。
【００２１】
（５）上記リアクトルの一形態として、前記第１突起の外周面に配置され、前記巻回部の内周面と前記第１突起の外周面との間に介在される絶縁層を備えることが挙げられる。
【００２２】
第１突起の外周面に絶縁層が配置されていることで、巻回部と内側コア部との間の絶縁をより確実なものとすることができる。
【００２３】
（６）上記リアクトルの一形態として、前記巻回部の端面に対向する前記第２突起の内端面に配置され、前記巻回部の端面と前記第２突起の内端面との間に介在される絶縁層を備えることが挙げられる。
【００２４】
第２突起の内端面に絶縁層が配置されていることで、巻回部とコア片との間の絶縁をより確実なものとすることができる。
【００２５】
（７）上記（５）又は（６）に記載のリアクトルの一形態として、前記絶縁層の厚さが５００μｍ以下であることが挙げられる。
【００２６】
絶縁層の厚さは、巻回部（コイル）とコア片（磁性コア）との間の絶縁を確保できる厚さであればよく、特に限定されないが、例えば、第１突起の絶縁層が厚過ぎると、巻回部と内側コア部との間のクリアランスが増大する。絶縁層の厚さが５００μｍ以下であることで、巻回部と内側コア部との間のクリアランスを十分に小さくでき、リアクトルをより小型化できる。絶縁層の厚さの下限は、巻回部とコア片との間の絶縁を確保する観点から、例えば１０μｍ以上であることが好ましい。
【００２７】
［本発明の実施形態の詳細］
本発明の実施形態に係るリアクトルの具体例を、以下に図面を参照しつつ説明する。図中の同一符号は同一名称物を示す。なお、本発明はこれらの例示に限定されるものではなく、特許請求の範囲によって示され、特許請求の範囲と均等の意味および範囲内でのすべての変更が含まれることが意図される。
【００２８】
［実施形態１］
＜リアクトルの構成＞
図１〜図５を参照して、実施形態１に係るリアクトル１を説明する。実施形態１のリアクトル１は、図１に示すように、２つの巻回部２ｃを有するコイル２と、巻回部２ｃの内外に配置される磁性コア３とを備える。両巻回部２ｃは、互いに横並びに配置されている。磁性コア３は、磁性を有するコア片を含み、この例では、図２に示すように、２つのコア片３Ａ、３Ｂを備える。各コア片３Ａ、３Ｂは、図１、図５にも示すように、巻回部２ｃの内側に配置される２つの内側コア部３１と、巻回部２ｃの外側に配置されて両内側コア部３１同士を連結する外側コア部３２とを有する。リアクトル１の特徴の１つは、内側コア部３１を有するコア片３Ａ、３Ｂにおいて、内側コア部３１の外周面から突出して一体成形される第１突起３１１（図２、図３参照）と、コア片３Ａ、３Ｂから突出して巻回部２ｃの端面に対向する位置に一体成形される第２突起３１２（図２、図４参照）とを備える点にある。
【００２９】
リアクトル１は、例えば、コンバータケースなどの設置対象（図示せず）に設置される。ここでは、リアクトル１（コイル２及び磁性コア３）において、図１〜図５の紙面下側が、設置対象に面する設置側であり、設置側を「下」、その反対側を「上」とし、上下方向を縦方向とする。また、巻回部２ｃ（内側コア部３１）の並び方向（図３の紙面左右方向）を横方向とし、巻回部２ｃ（内側コア部３１）の軸方向に沿った方向を長さ方向とする。図３は、内側コア部３１（巻回部２ｃ）の軸方向に直交する横方向に切断した横断面図であり、図４は、内側コア部３１（巻回部２ｃ）の軸方向に沿って縦方向に切断した縦断面図である。以下、リアクトルの構成について詳しく説明する。
【００３０】
（コイル）
コイル２は、図１及び図５に示すように、２本の巻線２ｗをそれぞれ螺旋状に巻回してなる一対の巻回部２ｃを有し、両巻回部２ｃを形成するそれぞれの巻線２ｗの一方の端部同士が接合部２０を介して接続されている。両巻回部２ｃは、互いの軸方向が平行するように横並びに（並列）に配置されている。接合部２０は、各巻回部２ｃから引き出された巻線２ｗの一方の端部同士を溶接や半田付け、ロウ付けなどの接合方法によって接合することで形成されている。巻線２ｗの他方の端部はそれぞれ、各巻回部２ｃから適宜な方向（この例では上方）に引き出され、端子金具（図示せず）が適宜取り付けられて、電源などの外部装置（図示せず）に電気的に接続される。コイル２は、公知のものを利用でき、例えば、両巻回部２ｃが１本の連続する巻線で形成されたものでもよい。
【００３１】
〈巻回部〉
両巻回部２ｃは、同じ仕様の巻線２ｗからなり、形状・大きさ・巻回方向・ターン数が同じである。巻線２ｗは、例えば、導体（銅など）と、導体の外周に絶縁被覆（ポリアミドイミドなど）とを有する被覆線（いわゆるエナメル線）である。この例では、図５に示すように、各巻回部２ｃが被覆平角線の巻線２ｗをエッジワイズ巻きした四角筒状（具体的には、矩形筒状）のエッジワイズコイルである。各巻回部２ｃの形状は、特に限定されるものではなく、例えば、円筒状や楕円筒状、長円筒状（レーストラック形状）などであってもよい。巻線２ｗや巻回部２ｃの仕様は適宜変更できる。
【００３２】
その他、コイル２は、電気絶縁性を有する樹脂でモールドされたモールドコイルであってもよい。この場合、コイル２を外部環境(粉塵や腐食など)から保護したり、コイル２の機械的強度を高めることができる。また、コイル２の電気絶縁性を高めることができ、コイル２と磁性コア３との間の電気的絶縁を確保できる。例えば、巻回部２ｃの内周面が樹脂で覆われていることで、巻回部２ｃと内側コア部３１との間の電気的絶縁を確保できる。コイル２をモールドする樹脂には、例えば、エポキシ樹脂、不飽和ポリエステル樹脂、ウレタン樹脂、シリコーン樹脂などの熱硬化性樹脂や、ポリフェニレンスルフィド（ＰＰＳ）樹脂、ポリテトラフルオロエチレン（ＰＴＦＥ）樹脂、液晶ポリマー（ＬＣＰ）、ナイロン６やナイロン６６といったポリアミド（ＰＡ）樹脂、ポリイミド（ＰＩ）樹脂、ポリブチレンテレフタレート（ＰＢＴ）樹脂、アクリロニトリル・ブタジエン・スチレン（ＡＢＳ）樹脂などの熱可塑性樹脂が利用できる。
【００３３】
或いは、コイル２は、巻回部２ｃを形成する隣り合うターン間に融着層を備え、隣り合うターン同士が熱融着された熱融着コイルであってもよい。この場合、巻回部２ｃの保形強度を高め、巻回部２ｃを形成する一部のターンが径方向にずれるなどの巻回部２ｃの変形を抑制できる。
【００３４】
（磁性コア）
磁性コア３は、図２、図５に示すように、２つのＵ字状のコア片３Ａ、３Ｂを備え、両コア片３Ａ、３Ｂを組み合わせて環状に構成される。この例では、コア片３Ａ、３Ｂは同一形状である。例えばコア片３Ｂを図２に示す状態から、水平方向に１８０°回転させると、コア片３Ａに一致する。磁性コア３には、コイル２に通電することで磁束が流れ、閉磁路が形成される。
【００３５】
〈コア片〉
コア片３Ａ、３Ｂはそれぞれ、図２、図５に示すように、２つの内側コア部３１と外側コア部３２とを有し、これらが一体成形された成形体である。内側コア部３１は、図１に示すように、巻回部２ｃに挿入され、巻回部２ｃの内側に配置される部分である。つまり、両内側コア部３１は、巻回部２ｃと同様に、互いの軸方向が平行するように横並び（並列）に配置される。コア片３Ａ、３Ｂの各内側コア部３１の形状は、巻回部２ｃの内周面に対応した形状であり、この例では、図５に示すように、四角柱状（具体的には、矩形柱状）である（図３も参照）。また、コア片３Ａ、３Ｂの各内側コア部３１の軸方向の長さが同じである。各コア片には、第１突起３１１及び第２突起３１２が一体成形されている。第１突起３１１及び第２突起３１２の詳細は後述する。
【００３６】
外側コア部３２は、図１に示すように、巻回部２ｃから露出し、巻回部２ｃの外側に配置される部分である。コア片３Ａ、３Ｂの各外側コア部３２は、図２、図５に示すように、上面が六角形状の柱状体であり、巻回部２ｃの端面に対向する内端面３２ｅ（図５参照）を有する。コア片３Ａ、３Ｂは、各外側コア部３２の内端面３２ｅから巻回部２ｃ側に向かって２つの内側コア部３１が突出しており、互いの両内側コア部３１の端面同士が突き合わされて環状に組み付けられる。コア片３Ａ、３Ｂの内側コア部３１同士は例えば接着剤などによって接合され、これによりコア片３Ａ、３Ｂが一体化される。この例では、図４、図５に示すように、各外側コア部３２が内側コア部３１に対して下側に突出する下側突出部３２１を有し、外側コア部３２の下面と巻回部２ｃの下面とがほぼ面一になっている。
【００３７】
コア片３Ａ、３Ｂは、所定の形状に成形された成形体であり、磁性粉末と樹脂とを含む複合材料の成形体で形成されている。複合材料の成形体は、射出成形や注型成形などの樹脂成形法により成形することで製造される。複合材料の成形体は、磁性粉末の粉末粒子間に樹脂が介在することから、比透磁率を低くできる。そのため、磁性コア３を構成するコア片３Ａ、３Ｂが複合材料の成形体である場合、リアクトル１のインダクタンスを調整するためのギャップを磁性コア３（例えばコア片３Ａ、３Ｂ間）に設ける必要がない、或いは、仮にギャップを設けるとしてもギャップが小さくて済む。よって、磁性コア３（内側コア部３１）に漏れ磁束が発生し難く、巻回部２ｃの内周面と内側コア部３１の外周面との間のクリアランス３４（図３参照）を小さくすることが可能である。更に、複合材料の成形体は、突起を有するような複雑な形状も容易に一体成形でき、寸法精度も高いため、コア片３Ａ、３Ｂが複合材料の成形体である場合、容易に寸法精度の高いコア片が得られる。その他、複合材料の成形体であれば、渦電流損などの鉄損を低減できるといった効果も期待できる。本例のように、コア片３Ａ、３Ｂが同一形状であれば、同一の成形型で成形できることからも、生産性に優れる。
【００３８】
複合材料の磁性粉末には、金属や非金属の軟磁性材料の粉末が利用できる。金属では、実質的にＦｅからなる純鉄、種々の添加元素を含有して残部がＦｅ及び不可避不純物からなる鉄基合金、Ｆｅ以外の鉄族金属やその合金などが挙げられる。鉄基合金としては、例えば、Ｆｅ−Ｓｉ合金、Ｆｅ−Ｓｉ−Ａｌ合金、Ｆｅ−Ｎｉ合金、Ｆｅ−Ｃ合金などが挙げられる。非金属では、フェライトなどが挙げられる。
【００３９】
複合材料の樹脂には、熱硬化性樹脂、熱可塑性樹脂、常温硬化性樹脂、低温硬化性樹脂などが利用できる。熱硬化性樹脂としては、例えば、不飽和ポリエステル樹脂、エポキシ樹脂、ウレタン樹脂、シリコーン樹脂などが挙げられる。熱可塑性樹脂としては、例えば、ＰＰＳ樹脂、ＰＴＦＥ樹脂、ＬＣＰ、ＰＡ樹脂、ＰＩ樹脂、ＰＢＴ樹脂、ＡＢＳ樹脂などが挙げられる。その他、不飽和ポリエステルに炭酸カルシウムやガラス繊維が混合されたＢＭＣ（Ｂｕｌｋ  ｍｏｌｄｉｎｇ  ｃｏｍｐｏｕｎｄ）、ミラブル型シリコーンゴム、ミラブル型ウレタンゴムなども利用できる。複合材料中の磁性粉末の含有量は、例えば、３０体積％以上８０体積％以下、更に５０体積％以上７５体積％以下が挙げられる。複合材料中の樹脂の含有量は、１０体積％以上７０体積％以下、更に２０体積％以上５０体積％以下が挙げられる。また、複合材料は、磁性粉末及び樹脂に加えて、アルミナやシリカなどの非磁性かつ非金属材料からなるフィラー粉末を含有することができる。フィラー粉末の含有量は、例えば、０．２質量％以上２０質量％以下、更に０．３質量％以上１５質量％以下、０．５質量％以上１０質量％以下が挙げられる。樹脂の含有量が多いほど、比透磁率を小さくして磁気飽和し難くできる上に、絶縁性を高められ、渦電流損を低減し易い。フィラー粉末を含有する場合、絶縁性の向上による低損失化、放熱性の向上などが期待できる。
【００４０】
〈第１突起〉
第１突起３１１は、図３に示すように、内側コア部３１の外周面から突出して一体成形され、巻回部２ｃの内周面に接して巻回部２ｃの径方向を位置決めする。また、第１突起３１１により、巻回部２ｃの内周面と内側コア部３１の外周面との接触面積が減り、巻回部２ｃに内側コア部３１を挿入する際の摩擦抵抗を低減できるといった効果も期待できる。この例では、内側コア部３１は矩形柱状体であり、内側コア部３１の外周面は４つの平面（上面、下面、及び左右の側面）と、４つの角部３１３を有する。第１突起３１１は、内側コア部３１の外周面を構成する各面にそれぞれ形成され、内側コア部３１の軸方向に直交する断面（横断面）において、外周面を構成する各面の中間部分（角部３１３を除く部分）から突出している。第１突起３１１の形状や数、位置については特に限定されない。この例では、第１突起３１１の断面形状が矩形状であるが、台形状や半円状などであってもよい。また、各面の中間位置に１つずつ第１突起３１１が形成されているが、各面に対して第１突起３１１は複数であってもよく、各面の中間部分に複数の第１突起３１１を形成してもよい。この第１突起３１１により、巻回部２ｃの内周面と第１突起３１１を除く内側コア部３１の外周面との間にクリアランス３４（図３参照）が形成される。この例では、内側コア部３１の外周面に４つの第１突起３１１が形成されており、内側コア部３１の四隅にそれぞれクリアランス３４が確保されている。
【００４１】
第１突起３１１の高さは、例えば１００μｍ以上１ｍｍ以下であることが挙げられる。第１突起３１１の高さが１ｍｍ以下であることで、巻回部２ｃと内側コア部３１との間のクリアランス３４を十分に小さくできる。第１突起３１１の高さが１００μｍ以上であることで、クリアランス３４を十分に確保して、巻回部２ｃと内側コア部３１と間の電気的絶縁を確保し易い。第１突起３１１の高さは、例えば２００μｍ以上８００μｍ以下であることがより好ましい。この例では、各第１突起３１１の高さが同じである。なお、この例では、第１突起３１１と巻回部２ｃとの間の電気的絶縁は、後述する絶縁層３５１により確保している。
【００４２】
第１突起３１１の幅は、例えば１ｍｍ以上２０ｍｍ以下であることが挙げられる。ここでいう「第１突起３１１の幅」とは、内側コア部３１の外周面の周方向に沿った長さをいう。第１突起３１１の幅が１ｍｍ以上であることで、第１突起３１１の機械的強度を確保し易く、２０ｍｍ以下であることで、巻回部２ｃの内周面と第１突起３１１の外周面との接触面積を減らし、巻回部２ｃに内側コア部３１を挿入する際の摩擦抵抗を低減し易い。各第１突起３１１の幅は、巻回部２ｃの内周面との接触面積（摩擦抵抗）を低減する観点から、内側コア部３１の外周面のうち、各第１突起３１１が形成される各面の幅の例えば１／２以下、更に１／３以下であることがより好ましい。
【００４３】
この例では、図４に示すように、各第１突起３１１が内側コア部３１の軸方向に沿って全長に亘って一連に形成されている。第１突起３１１が内側コア部３１の全長に亘って一連に形成されていることで、巻回部２ｃを形成する一部のターンが径方向にずれることを抑制できる。第１突起３１１は、内側コア部３１の軸方向に沿って間隔をあけて断続的に形成されていてもよい。
【００４４】
第１突起３１１が内側コア部３１の軸方向に沿って一連に形成されている場合、第１突起３１１も磁路に利用できる。この例では、図３に示すように、各第１突起３１１が内側コア部３１の外周面を構成する各面の中間部分に形成されているが、角部３１３に第１突起３１１を形成することも可能である。しかしながら、内側コア部３１の角部３１３は、磁束が流れ難く、有効磁路として機能し難い。そのため、図３に示すように、各面の中間部分に第１突起３１１形成されている方が、角部３１３に形成されている場合に比較して、第１突起３１１が有効磁路として機能し易く、有効磁路断面積の確保に寄与する。
【００４５】
〈第２突起〉
第２突起３１２は、図４に示すように、コア片３Ａ、３Ｂから突出して巻回部２ｃの端面に対向する位置に一体成形され、巻回部２ｃの端面に接して巻回部２ｃの軸方向を位置決めする。この例では、第２突起３１２は、巻回部２ｃの端面における上側部分に対向するようにコア片３Ａ、３Ｂの上面にそれぞれ形成され、巻回部２ｃの両端面を挟むように内側コア部３１と外側コア部３２との境界部分から突出している（図１も参照）。第２突起３１２は、巻回部２ｃの端面を当て止めして、磁性コア３に対して巻回部２ｃの軸方向の位置決めを行うことができれば、その形状や数、位置については特に限定されない。
【００４６】
第２突起３１２の高さは、例えば、巻回部２ｃの端面の幅の１／３以上であることが挙げられる。ここでいう「巻回部２ｃの端面の幅」とは、巻回部２ｃの端面における内周面と外周面との間の寸法（図４中、Ｃｗで示す）をいい、巻回部２ｃを形成する巻線２ｗの幅に実質的に等しい。また、「第２突起３１２の高さ」とは、巻回部２ｃの端面に接する部分の高さであって、巻回部２ｃの端面における内周面からの寸法（図４中、Ｐｈ２で示す）をいう。第２突起３１２の高さが巻回部２ｃの端面の幅の１／３以上であることで、巻回部２ｃの端面を当て止めし易く、巻回部２ｃの軸方向の位置決めを効果的に行うことができる。第２突起３１２の高さは、例えば、巻回部２ｃの端面の幅の１／２以上であることがより好ましい。第２突起３１２の高さの上限は、特に限定されないが、例えば巻回部２ｃの端面の幅以下であることが挙げられる。
【００４７】
第２突起３１２の幅は、例えば３ｍｍ以上であることが挙げられる。ここでいう「第２突起３１２の幅」とは、巻回部２ｃの周方向に沿った長さをいう（図１も参照）。第２突起３１２の幅が３ｍｍ以上であることで、第２突起３１２の機械的強度を確保し易く、また、巻回部２ｃの端面に接する部分が増えるので、巻回部２ｃの軸方向を安定して位置決めし易くなる。第２突起３１２の厚さは、巻回部２ｃの端面を支持できる機械的強度を確保できる厚さであればよく、例えば１ｍｍ以上であることが挙げられる。ここでいう「第２突起３１２の厚さ」とは、巻回部２ｃの軸方向に沿った寸法である。第２突起３１２の厚さは、機械的強度を確保できる限り薄いことが好ましく、例えば５ｍｍ以下であることが好ましい。
【００４８】
この例では、コア片３Ａ、３Ｂの上面に第２突起３１２が形成されているが、上面以外にも、例えば、コア片３Ａ、３Ｂの外側面（磁性コア３の幅方向の外側の面）に第２突起３１２を形成してもよい。更に、第２突起３１２は、巻回部２ｃの端面の全周に亘って対向するようにフランジ状に形成することも可能である。このように、第２突起３１２の形成箇所を増やすことで、巻回部２ｃの軸方向をより安定して位置決めし易くなる。
【００４９】
〈絶縁層〉
この例では、図２、図３に示すように、各第１突起３１１の外周面に絶縁層３５１が配置されると共に、巻回部２ｃの端面に対向する各第２突起３１２の内端面に絶縁層３５２が配置されている。第１突起３１１の絶縁層３５１は、巻回部２ｃの内周面と第１突起３１１の外周面との間に介在され、巻回部２ｃと内側コア部３１との間の電気的絶縁を確保する。第２突起３１２の絶縁層３５２は、巻回部２ｃの端面と第２突起３１２の内端面との間に介在され、巻回部２ｃとコア片３Ａ、３Ｂとの間の電気的絶縁を確保する。各絶縁層３５１、３５２の厚さは、巻回部２ｃ（コイル２）とコア片３Ａ、３Ｂ（磁性コア３）との間の絶縁を確保できる厚さであればよく、例えば１０μｍ以上５００μｍ以下であることが挙げられる。例えば、絶縁層３５１の厚さが５００μｍ以下であることで、巻回部２ｃと内側コア部３１との間のクリアランス３４（図３参照）を十分に小さくできる。各絶縁層３５１、３５２の厚さが１０μｍ以上であることで、巻回部２ｃとコア片３Ａ、３Ｂとの間の絶縁を十分に確保できる。各絶縁層３５１、３５２の厚さは、例えば２０μｍ以上３００μｍ以下であることがより好ましい。この例では、巻回部２ｃの内周面に近接する各第１突起３１１の外周面にのみ絶縁層３５１が配置されているが、絶縁層３５１は第１突起３１１の少なくとも外周面に配置されていればよく、第１突起３１１を取り囲むように配置してもよい。第１突起３１１の外周面に絶縁層３５１を配置する場合、第１突起３１１の高さと絶縁層３５１の厚さとを合わせた合計寸法は、例えば１１０μｍ以上１ｍｍ以下が好適である。
【００５０】
各絶縁層３５１、３５２は、電気絶縁性を有する材料で形成されている。また、各絶縁層３５１、３５２（特に絶縁層３５１）は、できる限り薄肉であることが望ましく、このような観点から、例えば、絶縁紙や樹脂の絶縁テープを貼り付けたり、樹脂の粉体塗料やワニスなどの絶縁塗料を塗装したりすることで形成することが挙げられる。粉体塗料の樹脂には、例えば、エポキシ樹脂、ポリエステル樹脂、アクリル樹脂、フッ素樹脂などが利用できる。
【００５１】
{作用効果}
実施形態１のリアクトル１は、次の作用効果を奏する。
磁性コア３を構成するコア片３Ａ、３Ｂが複合材料の成形体であることで、磁性コア３（内側コア部３１）に漏れ磁束が発生し難く、巻回部２ｃと内側コア部３１の間のクリアランス３４を小さくすることが可能である。また、内側コア部３１の外周面から突出して一体成形される第１突起３１１と、コア片３Ａ、３Ｂから突出して巻回部２ｃの端面に対向する位置に一体成形される第２突起３１２とを備える。そして、第１突起３１１により巻回部２ｃの径方向を位置決めすると共に、第２突起３１２により巻回部２ｃの軸方向を位置決めすることで、磁性コア３に対してコイル２を位置決めできる。そのため、従来使用されていたボビン（内側ボビン及び枠状ボビン）を省略することができ、巻回部２ｃと内側コア部３１との間のクリアランス３４の狭小化と、部品点数の削減が可能である。したがって、リアクトル１は、簡易な構成でコイル２と磁性コア３とを位置決めできながら、巻回部２ｃと内側コア部３１との間のクリアランス３４を小さくでき、小型化を達成できる。
【００５２】
〈用途〉
実施形態１のリアクトル１は、例えば、ハイブリッド自動車、プラグインハイブリッド自動車、電気自動車、燃料電池自動車などの車両に搭載される車載用コンバータ（代表的にはＤＣ−ＤＣコンバータ）や、空調機のコンバータなど種々のコンバータ、並びに電力変換装置の構成部品に好適に利用可能である。
【００５３】
［変形例］
上述した実施形態１のリアクトル１に対して、以下の少なくとも一つの変更や追加が可能である。
【００５４】
（１）実施形態１のリアクトル１において、コイル２と磁性コア３との組合体の少なくとも一部が樹脂でモールドされた形態が挙げられる。この場合、組合体を外部環境(粉塵や腐食など)から保護したり、組合体を電気的・機械的に保護できる。組合体をモールドする樹脂には、例えば、エポキシ樹脂、不飽和ポリエステル樹脂、ウレタン樹脂、シリコーン樹脂などの熱硬化性樹脂や、ＰＰＳ樹脂、ＰＴＦＥ樹脂、ＬＣＰ、ＰＡ樹脂、ＰＩ樹脂、ＰＢＴ樹脂、ＡＢＳ樹脂などの熱可塑性樹脂が利用できる。
【００５５】
（２）実施形態１のリアクトル１において、コイル２と磁性コア３との組合体を収納するケース（図示せず）を備える形態が挙げられる。これにより、組合体を外部環境(粉塵や腐食など)から保護したり、機械的に保護できる。金属製のケースであれば、その全体を放熱経路に利用できるので、コイル２や磁性コア３に発生した熱を外部の設置対象に効率よく放熱でき、放熱性が向上する。ケースの形成材料としては、例えば、アルミニウムやその合金、マグネシウムやその合金、銅やその合金、銀やその合金、鉄や鋼、オーステナイト系ステンレス鋼などが挙げられる。アルミニウムやマグネシウム、これらの合金で形成した場合は、ケースを軽量化できる。ケースは樹脂製であってもよい。
【００５６】
また、組合体をケースに収納する場合は、ケース内の組合体を封止する封止樹脂を備えてもよい。これにより、組合体の電気的・機械的保護、外部環境からの保護などを図ることができる。封止樹脂には、例えば、エポキシ樹脂、ウレタン樹脂、シリコーン樹脂、不飽和ポリエステル樹脂、ＰＰＳ樹脂などが利用できる。放熱性を高める観点から、封止樹脂にアルミナやシリカなどの熱伝導率の高いセラミックフィラーを混合してもよい。
【符号の説明】
【００５７】
１  リアクトル
２  コイル
２ｗ  巻線
２ｃ  巻回部
２０  接合部
３  磁性コア
３Ａ、３Ｂ  コア片
３１  内側コア部
３１１  第１突起
３１２  第２突起
３１３  角部
３２  外側コア部
３２１  下側突出部
３２ｅ  内端面
３４  クリアランス
３５１、３５２  絶縁層
【図１】
2018186254.tif 000003
【図２】
2018186254.tif 000004
【図３】
2018186254.tif 000005
【図４】
2018186254.tif 000006
【図５】
2018186254.tif 000007